(57)【要約】【課題】ボイラなどの石炭を含む燃料の燃焼装置から発生する排ガス中の水銀酸化率を向上させて、水銀の排出量を低減可能な排ガス処理装置と排ガス処理方法の提供である。【解決手段】石炭を含む燃料を燃焼するボイラ２０からの排ガスと空気との熱交換により燃焼装置の燃焼用空気を予熱する空気予熱器４と、水銀を酸化する触媒を担持したバグフィルタ８を内部に有し、空気予熱器４出口の排ガス中の水銀を酸化すると共に排ガス中の煤塵を除去する集塵装置５とを排ガス流路の上流側から順に配置した排ガス処理装置において、空気予熱器４と集塵装置５との間の排ガス流路に、該集塵装置よりも集塵効率の低い低効率集塵装置２１を設けることで、大気中に排出される水銀量を低減できる。また、低効率集塵装置２１によって集塵装置５に流入する灰の量が減少するため、ファン動力が低減でき、バグフィルタ８の逆洗頻度が低下してバグフィルタ８の寿命が長くなる。【選択図】図１
2014091058.tif 000002
【特許請求の範囲】
【請求項１】
石炭を含む燃料を燃焼するボイラを含む燃焼装置から排出する排ガスと燃焼装置に供給する空気とを熱交換して前記排ガスの温度を低下させると共に燃焼用空気を予熱する空気予熱器と、
水銀を酸化する触媒を担持したバグフィルタを内部に有し、前記空気予熱器出口の排ガス中の水銀を酸化すると共に排ガス中の煤塵を除去する集塵装置とを
燃焼装置の排ガスダクトの上流側から下流側に順次配置した排ガス処理装置において、
前記空気予熱器と前記集塵装置との間の排ガス流路に、前記集塵装置よりも集塵効率が低く、排ガス中の煤塵の一部を除去する低効率集塵装置を設けたことを特徴とする排ガス処理装置。
【請求項２】
前記低効率集塵装置と前記集塵装置との間の排ガス流路に、排ガス温度を低下させるガスクーラを設けたことを特徴とする請求項１記載の排ガス処理装置。
【請求項３】
前記低効率集塵装置と前記ガスクーラとの間の排ガス流路に、排ガス中の硫黄酸化物を除去する添加剤の供給部を設けたことを特徴とする請求項２に記載の排ガス処理装置。
【請求項４】
前記低効率集塵装置と前記添加剤の供給部との間の排ガス流路に、排ガス中のＳＯ3濃度を測定するＳＯ3濃度測定器を設け、
前記添加剤の供給部から供給される添加剤の量を調整する調整手段を設け、
石炭の灰の分析値から計算されるＣａＯ濃度と前記ＳＯ3濃度測定器から測定されるＳＯ3濃度、又は石炭の灰の分析値から計算されるＣａＯ濃度と石炭の灰の分析値から計算されるＳＯ3濃度から排ガス中のＣａＯとＳＯ3とのモル比（ＣａＯ／ＳＯ3）を算出し、前記ガスクーラ入口のモル比（ＣａＯ／ＳＯ3）が１以上となるように、前記調整手段を制御して添加剤の量を調整する添加剤調整機能を有する制御装置を設けたことを特徴とする請求項３記載の排ガス処理装置。
【請求項５】
前記添加剤はカルシウム化合物であることを特徴とする請求項３又は請求項４に記載の排ガス処理装置。
【請求項６】
前記低効率集塵装置の入口の排ガス温度が排ガス中のＳＯ3の酸露点を超えるように前記空気予熱器における熱交換量を調整する熱交換量調整機能と、前記ガスクーラの出口の排ガス温度を水露点以上、且つ排ガス中のＳＯ3の酸露点以下に低下させるガス温度冷却機能とを有する制御装置を設けたことを特徴とする請求項２から請求項５のいずれか１項に記載の排ガス処理装置。
【請求項７】
前記低効率集塵装置は、該低効率集塵装置の出口の排ガス中に含まれる煤塵とＳＯ3との質量比が、１を超えて且つ石炭中の硫黄分と灰分から計算される煤塵とＳＯ3との質量比未満となる集塵効率を有することを特徴とする請求項１から請求項６のいずれか１項に記載の排ガス処理装置。
【請求項８】
前記低効率集塵装置はサイクロン機構を有することを特徴とする請求項１から請求項７のいずれか１項に記載の排ガス処理装置。
【請求項９】
石炭を含む燃料を燃焼するボイラを含む燃焼装置から排出する排ガスと燃焼装置に供給する空気とを熱交換することで燃焼用空気を予熱してガス温度が低下した排ガスを、水銀を酸化する触媒を担持したバグフィルタを内部に有する集塵装置に導入して、排ガス中の水銀を酸化させると共に排ガス中の煤塵を除去する排ガス処理方法において、
前記集塵装置よりも集塵効率の低い低効率集塵装置を使用して燃焼用空気の予熱後の排ガスから煤塵の一部を除去した後、排ガスを前記集塵装置に導入することを特徴とする排ガス処理方法。
【請求項１０】
前記低効率集塵装置により排ガスから煤塵の一部を除去した後、前記集塵装置の入口で排ガス温度を低下させることを特徴とする請求項９記載の排ガス処理方法。
【請求項１１】
前記低効率集塵装置により排ガスから煤塵の一部を除去した後、排ガス中の硫黄酸化物を除去する添加剤を供給してから、前記集塵装置の入口で排ガス温度を低下させることを特徴とする請求項１０記載の排ガス処理方法。
【請求項１２】
前記集塵装置の入口の排ガス中のＣａＯとＳＯ3とのモル比（ＣａＯ／ＳＯ3）が１以上となるように添加剤を供給することを特徴とする請求項１１記載の排ガス処理方法。
【請求項１３】
前記添加剤としてカルシウム化合物を使用することを特徴とする請求項１１又は請求項１２に記載の排ガス処理方法。
【請求項１４】
前記燃焼用空気を予熱後の排ガス温度が排ガス中のＳＯ3の酸露点を超えるように前記排ガスと燃焼用空気との熱交換量を調整すると共に、前記集塵装置の入口の排ガス温度を水露点以上、且つ排ガス中のＳＯ3の酸露点以下に低下させることを特徴とする請求項１０から請求項１３のいずれか１項に記載の排ガス処理方法。
【請求項１５】
前記低効率集塵装置の出口の排ガス中に含まれる煤塵とＳＯ3との質量比が、１を超えて且つ石炭中の硫黄分と灰分から計算される煤塵とＳＯ3との質量比未満となる集塵効率を有する低効率集塵装置を使用することを特徴とする請求項９から請求項１４のいずれか１項に記載の排ガス処理方法。
【請求項１６】
サイクロン機構を有する低効率集塵装置を使用することを特徴とする請求項９から請求項１５のいずれか１項に記載の排ガス処理方法。
【発明の詳細な説明】
【技術分野】
【０００１】
本発明は、石炭類を燃焼した際に発生する排ガス中に含まれる水銀を効率よく除去するための排ガス処理装置に係わり、特に石炭焚ボイラなどの燃焼装置から排出される排ガス中に含まれる水銀を効率的に除去する排ガス処理装置と排ガス処理方法に関するものである。
【背景技術】
【０００２】
火力発電所等の石炭を燃料とした場合のボイラの一例を図６に示す。
この排ガス処理装置は主にボイラ２０の排ガスダクトの上流側から下流側にかけて、ボイラ２０から発生する排ガス中の窒素酸化物を処理するための脱硝装置３、脱硝装置３の出口排ガスの温度を下げるための空気予熱器（Ａ／Ｈ）４、Ａ／Ｈ４から排出される排ガス中の灰（フライアッシュ）を源とした煤塵等を除去するための集塵装置（バグハウス）５、バグハウス５の出口排ガス中の硫黄酸化物を処理するための湿式脱硫装置６、湿式脱硫装置６の出口排ガスを大気中に排出する煙突７等が順次配置され、これらにより構成されている。
【０００３】
一般に石炭中には、１ｋｇ当たり３０〜１００μｇの水銀が含まれており、石炭中の水銀濃度はｐｐｂレベルと微量であるが、燃焼によって大気中に放出されると、健康や環境に影響を及ぼす恐れがあるため、排ガス中から高度に除去されなければならない。
【０００４】
ボイラ２０からの排ガス中のガス状の金属水銀の一部は、ボイラ２０の後部伝熱部２、脱硝装置３の脱硝触媒などで酸化されて酸化状水銀（酸化水銀）となる。酸化水銀は、固体の表面に付着しやすく、水溶液に吸着されやすいため、バグハウス５などの集塵装置や湿式脱硫装置６などで除去することができる。しかし、酸化されなかった金属水銀が集塵装置５や湿式脱硫装置６をすり抜けてしまうという問題がある。
【０００５】
ボイラ２０の火炉１で微粉炭の燃焼により発生した高温の排ガスは、後部伝熱部２によって４００℃程度に冷却された後、脱硝装置３で脱硝触媒により窒素酸化物（ＮＯｘ）が分解されて無害なＮ2に変化する。その後、Ａ／Ｈ４で温度がさらに１６０〜２００℃程度になるように冷却された後、バグハウス５で灰が除去される。灰を除去後の排ガスは湿式脱硫装置６に導入され、排ガス中の硫黄酸化物（ＳＯｘ）が除去された後、煙突７から排出される。
【０００６】
石炭中に含まれる水銀は、ボイラ２０の火炉１内で燃焼による高温のために気化し、金属水銀の状態となる。その後、ガス状の金属水銀の一部は排ガス温度の低下に従って徐々に酸化水銀に変化する。酸化水銀は固体(主に未燃カーボン）の表面に付着しやすく、一部は灰粒子に捕捉されて粒子結合水銀となってバグハウス５で除去されるが、それ以外に、酸化水銀自体も水溶性であるため、湿式脱硫装置６で脱硫吸収液などの液相に溶解して除去される。しかし、酸化せずに残存した金属水銀は灰への吸着性に乏しく、かつ難溶性であるため、水銀除去率を向上させるためには、排ガス中の水銀の酸化率を向上させる必要がある。
【０００７】
水銀の主要な酸化形態は塩化水銀（ＨｇＣｌ2）であるため、一般に、石炭中に含まれる塩素（Ｃｌ）の量、ひいては排ガス中のＣｌ量が多いほど、排ガス中における水銀酸化率が高くなる。このため、従来の水銀低減技術としては、燃料の石炭又は排ガス中へ塩素化合物を添加して排ガス中のＣｌ濃度を上昇させる方法や、脱硝触媒による水銀酸化の促進等が挙げられる。また、金属水銀を捕捉できる活性炭等の吸着剤を使用する場合もある。
【０００８】
従来、集塵装置として、特に大型の排ガス処理装置のプラントでは電気集塵機が採用されることが多かった。しかし、今後のプラントにおける排ガスの規制強化では、特に粒子状物質の規制値が厳しくなることが予測される。したがって、規制値を達成するためには、より効率の高い集塵装置としてバグフィルタの採用が必要となる場合がある。
【０００９】
図６には、集塵装置としてバグハウス５を示しており、バグハウス５内には底が閉じた円筒状のバグフィルタ８が多数設置されている。バグハウス５に導入された排ガスは、バグフィルタ８の円筒の外側から内側へと通過する際にろ過作用によって灰が除去されて、灰が除去された後のガスはバグハウス５上部の排ガスライン９から排出される。
【００１０】
バグフィルタ８に堆積した灰の層が厚くなり、バグハウス５の入口と出口の差圧（圧力差）が上昇して一定レベルに達すると、圧縮空気ライン１０に設置された電磁弁１１が開いて圧縮空気がパルス状にバグフィルタ８の円筒内に吹き込まれることにより、空気が瞬間的に高速で逆向きに通過してバグフィルタ８が波打ち、表面に堆積した灰が払い落とされる。この操作を逆洗と呼ぶ。払い落とされた灰はバグハウス５の底部に溜まり、抜き出しライン１２から適宜抜き出される。抜き出された灰１３は廃棄処分されたり、セメント原料等として利用されたりする。
【００１１】
図２には、触媒の水銀酸化率に対するガス中のＨＣｌ（塩化水素）濃度の影響を示したグラフを示し、図３には、触媒の水銀酸化率に対する排ガス温度の影響を示したグラフを示す。測定条件として、電気炉で加熱した反応管内に酸化チタン系の脱硝触媒を設置して実験装置とし、これに模擬ガスを供給した。模擬ガスの組成は、Ｈ2Ｏ：１０％、ＣＯ2：１２％、Ｏ2：３％、Ｈｇ：１０ｎｇ／リットル、ＳＯ2：５００ｐｐｍ、ＨＣｌ：５〜９５ｐｐｍ、残りをＮ2とした。また、水銀酸化率（％）は、下記（１）式より求めた。
【００１２】
水銀酸化率（％）＝（１−触媒出口金属水銀濃度／触媒入口金属水銀濃度）×１００  （１）
図２に示すように、触媒による水銀の酸化率は排ガス中のＨＣｌ濃度が高いほど高くなり、その結果、水銀除去率も高くなる。排ガス中のＨＣｌは石炭中のＣｌ含有量に由来するため、Ｃｌ含有量の少ない石炭を燃料とした場合は、脱硝触媒による水銀酸化率が低くなる。
【００１３】
そこで、石炭又は排ガス中へ塩素化合物を添加したり、活性炭等の水銀吸着剤を供給したり、触媒そのものが水銀酸化能力を持っている脱硝触媒を増設したりする方策が採られる場合があるが、これらの方策はコストが高くなるだけでなく、排ガス処理システム全体からの固体廃棄物の増加に繋がってしまう。
【００１４】
これに対し、下記特許文献１や下記特許文献２には、排ガス流路の上流側からボイラ、脱硝装置、エアヒータ、バグフィルタ、湿式脱硫装置等を設置した排ガス処理装置において、排ガス中に含まれる水銀を除去するために、バグフィルタに酸化触媒を担持することで、金属水銀を塩化水銀に酸化させて除去する構成が開示されている。
【００１５】
この構成によれば、集塵装置としてバグフィルタを設置したバグハウスを使用し、バグフィルタとして触媒成分を担持した触媒バグフィルタを適用することにより、脱硝触媒で酸化しきれなかった水銀を触媒バグフィルタで酸化することで、排ガス処理システム全体としての水銀酸化率を向上させ、ひいては水銀除去率を向上させることができる。
【００１６】
図４には、小型装置で実験的に確認した触媒バグフィルタにおける水銀の酸化率及び水銀捕捉率に対する温度の影響を示したグラフを示す。
これは、バグハウスだけを用いて模擬ガスをバグハウスに流した実験の結果であり、前記図２及び図３の測定で使用した装置を使用し、図２及び図３の場合の触媒とは活性成分を変更して酸化能力を強化した酸化チタン系の脱硝触媒を担持した小型の触媒バグフィルタを設置した。模擬ガスの組成は、Ｈ2Ｏ：１０％、ＣＯ2：１２％、Ｏ2：３％、Ｈｇ：１０ｎｇ／リットル、ＨＣｌ：０．１００ｐｐｍ、残りをＮ2とした。また、使用した石炭の種類は瀝青炭で、水銀酸化率は上記（１）式により求め、水銀捕捉率は下記（２）式より求めた。なお、全水銀とは、金属水銀＋酸化水銀を指す。
【００１７】
水銀捕捉率（％）＝（１−出口全水銀濃度／入口全水銀濃度）×１００  （２）
図４に示したように、排ガス中のＨＣｌ濃度が一定の場合、通常の脱硝触媒の運転温度（３００〜４００℃）よりも触媒バグフィルタの運転温度（１５０℃前後）の方が触媒による水銀酸化率が高いため、ＨＣｌ濃度が低くても高い酸化率が得られる。
【００１８】
触媒バグフィルタにおいては、排ガスがフィルタを通過する際に灰がフィルタ表面に保持されて堆積すると共に、フィルタに担持された触媒によって水銀が酸化する。灰はフィルタ繊維の隙間にも入っており、フィルタを通過する排ガスの速度は分速０．５〜１ｍ程度と遅いため、酸化水銀の一部は灰の堆積層とフィルタの界面で灰に捕捉される。なお、触媒バグフィルタの運転温度が低いほど灰への水銀の吸着性が高まるため、灰による水銀捕捉量は増加する。また、灰による水銀捕捉量が増加するほど、排ガス流路の後流の湿式脱硫装置６へ流入する水銀量が減少することから、脱硫装置６内の脱硫吸収液からの水銀の再放出も抑制することができる。
【先行技術文献】
【特許文献】
【００１９】
【特許文献１】特開２００８−３００１７号公報
【特許文献２】特開２００６−２０５１２８号公報
【特許文献３】特開２００６−１１６５２６号公報
【特許文献４】特開２００１−１９８４３５号公報
【発明の開示】
【発明が解決しようとする課題】
【００２０】
上述の従来技術における触媒バグフィルタを用いた場合は、以下のような問題がある。
まず、装置に関する問題がある。
触媒バグフィルタは、フィルタの繊維の目に触媒成分が詰まっている状態であるため装置の運転時の圧力損失が大きい。したがって、排ガス流路に設けたファンの動力を大きくする必要が生じる。また触媒バグフィルタの差圧の上昇速度が速いと逆洗の間隔も短くなるため、装置のランニングコストが高くなる。更に、触媒バグフィルタの寿命は触媒自体の寿命よりも短いことから、フィルタ交換時に、まだ使用可能な高価な触媒も交換することとなり、経済的ではない。触媒を担持していない通常のバグフィルタを使用して、別途、バグハウスの入口に触媒反応器を設置する方法も考えられるが、設置スペースや設備にかかるコスト等が問題となる。
【００２１】
また、水銀酸化率及び水銀除去率という性能面の問題もある。
図４には、触媒バグフィルタにおける水銀の酸化率及び水銀捕捉率に対する温度の影響を示しており、このときの灰中の酸化カルシウム（ＣａＯ）の濃度は５％（質量％、以後同じ）である。この濃度は一般的な石炭のレベルの範囲である。
【００２２】
排ガス中のＨＣｌ濃度は触媒バグフィルタを設置したバグハウスの入口で１０ｐｐｍと低い条件であるが、バグハウスの出口でも７〜９ｐｐｍであり大きな変化はない。
水銀酸化率は排ガス温度が１００〜２２０℃の間ではほぼ一定であるのに対し、水銀捕捉率、すなわち触媒バグフィルタ表面における灰による水銀の補捉率（吸着率）は温度が低いほど高くなっている。このことは、バグハウス内の温度が高い場合は、水銀が酸化されてもほとんど灰に捕捉されず、ガス状の酸化水銀としてバグハウスから排出されて後流の湿式脱硫装置に流入することを意味している。
【００２３】
湿式脱硫装置において、酸化水銀は基本的には液相に吸収されて除去されるが、その濃度が高い場合は再放出が起こって煙突からの排出量が増加してしまう。したがって、酸化された水銀であっても、できるだけ脱硫装置への流入量は低減されるべきであり、バグハウス内の温度はできるだけ低温にすることが望ましい。しかし、通常のＡ／Ｈの排ガス冷却能力には限界があるだけでなく、火炉へ供給する燃焼用空気の温度を所定値とするため、排ガス処理の点からの理由で制御することはできない。
【００２４】
一方、図５には、灰中のＣａＯ濃度が２６％と、比較的ＣａＯ濃度が高い石炭（亜瀝青炭）を燃焼した場合について、触媒バグフィルタにおける水銀の酸化率及び水銀捕捉率に対する温度の影響を示した。石炭の種類以外は図４と同じ条件とした。
【００２５】
先の図４と比較すると、１４０℃よりも低温側で水銀の酸化率及び水銀捕捉率が低くなっている。このとき、バグハウスの入口で１０ｐｐｍだったＨＣｌ濃度は、バグハウス内の反応温度が１００℃の場合、バグハウスの出口では１ｐｐｍにまで低下していた。このことから、バグハウス内の温度が低い場合は、灰中のＣａ（カルシウム成分）により排ガス中のＨＣｌが一部除去されることによって、触媒に到達するＨＣｌ量が極端に減少し、水銀酸化率が低下するためと考えられる。このようにカルシウム成分の含有量が多い石炭（以下、高Ｃａ炭と言う）では、触媒バグフィルタの利点を最大限に発揮することができない場合がある。
【００２６】
なお、上記特許文献３には、下水汚泥の焼却炉の排ガスを８００℃以上の高温用サイクロンに導いて焼却灰を分離回収した後、排ガス温度を２５０℃以下に低下させてろ過式集塵装置でＡｓ（ヒ素）やＳｅ（セレン）などの重金属を除去する構成が開示されており、上記特許文献４には、スクラップの溶解炉から粗粒ダストを分離後、排ガスを間接的に冷却して細粒ダストをろ過式集塵装置で分離する構成が開示されている。
【００２７】
これらの文献では、高沸点のＡｓやＳｅやダイオキシンを、灰を捕集する高温の分離装置は通過させて、排ガス流路後流側の低温の集塵機で回収することで、目的物の回収率を上げている。
【００２８】
上記特許文献３や特許文献４で除去対象とされるＡｓやＳｅ等と比べて、水銀は低濃度でも毒性が高く、高度に除去する必要がある。しかし、水銀は非ガス温度を下げるだけではその除去率を大幅に向上させることは難しい。なぜなら、金属水銀（ボイラ内は高温のため全ての水銀は金属状となる）は吸着性を持たないためである。
【００２９】
本発明の課題は、上述のような従来技術の問題に対して、コストを抑えながら、石炭を含む燃料を燃焼するボイラなどの燃焼装置から発生する排ガス中の水銀酸化率を向上させて水銀の排出量を低減可能な排ガス処理装置と排ガス処理方法を提供することである。
【課題を解決するための手段】
【００３０】
上記課題は、空気予熱器と触媒を担持した触媒バグフィルタを内部に設けた集塵装置との間の排ガス流路に、集塵装置よりも集塵効率の低い低効率集塵装置を設けることで達成される。
【００３１】
また、上記課題は、空気予熱器により低効率集塵装置の入口の排ガス温度を排ガス中のＳＯ3の酸露点を超えるようにし、低効率集塵装置と集塵装置との間の排ガス流路にガスクーラを設置して、集塵装置に導入される排ガス温度を水露点以上、且つ排ガス中のＳＯ3の酸露点以下に調整することにより達成される。
【００３２】
具体的に本発明の課題は、次の手段により解決することができる。
請求項１記載の発明は、石炭を含む燃料を燃焼するボイラを含む燃焼装置から排出する排ガスと燃焼装置に供給する空気とを熱交換して前記排ガスの温度を低下させると共に燃焼用空気を予熱する空気予熱器と、水銀を酸化する触媒を担持したバグフィルタを内部に有し、前記空気予熱器出口の排ガス中の水銀を酸化すると共に排ガス中の煤塵を除去する集塵装置とを燃焼装置の排ガスダクトの上流側から下流側に順次配置した排ガス処理装置において、前記空気予熱器と前記集塵装置との間の排ガス流路に、前記集塵装置よりも集塵効率が低く、排ガス中の煤塵の一部を除去する低効率集塵装置を設けた排ガス処理装置である。
【００３３】
請求項２記載の発明は、前記低効率集塵装置と前記集塵装置との間の排ガス流路に、排ガス温度を低下させるガスクーラを設けた請求項１記載の排ガス処理装置である。
請求項３記載の発明は、前記低効率集塵装置と前記ガスクーラとの間の排ガス流路に、排ガス中の硫黄酸化物を除去する添加剤の供給部を設けた請求項２に記載の排ガス処理装置である。
【００３４】
請求項４記載の発明は、前記低効率集塵装置と前記添加剤の供給部との間の排ガス流路に、排ガス中のＳＯ3濃度を測定するＳＯ3濃度測定器を設け、前記添加剤の供給部から供給される添加剤の量を調整する調整手段を設け、石炭の灰の分析値から計算されるＣａＯ濃度と前記ＳＯ3濃度測定器から測定されるＳＯ3濃度、又は石炭の灰の分析値から計算されるＣａＯ濃度と石炭の灰の分析値から計算されるＳＯ3濃度から排ガス中のＣａＯとＳＯ3とのモル比（ＣａＯ／ＳＯ3）を算出し、前記ガスクーラ入口のモル比（ＣａＯ／ＳＯ3）が１以上となるように、前記調整手段を制御して添加剤の量を調整する添加剤調整機能を有する制御装置を設けた請求項３記載の排ガス処理装置である。
【００３５】
請求項５記載の発明は、前記添加剤はカルシウム化合物である請求項３又は請求項４に記載の排ガス処理装置である。
請求項６記載の発明は、前記低効率集塵装置の入口の排ガス温度が排ガス中のＳＯ3の酸露点を超えるように前記空気予熱器における熱交換量を調整する熱交換量調整機能と、前記ガスクーラの出口の排ガス温度を水露点以上、且つ排ガス中のＳＯ3の酸露点以下に低下させるガス温度冷却機能とを有する制御装置を設けた請求項２から請求項５のいずれか１項に記載の排ガス処理装置である。
【００３６】
請求項７記載の発明は、前記低効率集塵装置は、該低効率集塵装置の出口の排ガス中に含まれる煤塵とＳＯ3との質量比が、１を超えて且つ石炭中の硫黄分と灰分から計算される煤塵とＳＯ3との質量比未満となる集塵効率を有する請求項１から請求項６のいずれか１項に記載の排ガス処理装置である。
【００３７】
請求項８記載の発明は、前記低効率集塵装置はサイクロン機構を有する請求項１から請求項７のいずれか１項に記載の排ガス処理装置である。
請求項９記載の発明は、石炭を含む燃料を燃焼するボイラを含む燃焼装置から排出する排ガスと燃焼装置に供給する空気とを熱交換することで燃焼用空気を予熱してガス温度が低下した排ガスを、水銀を酸化する触媒を担持したバグフィルタを内部に有する集塵装置に導入して、排ガス中の水銀を酸化させると共に排ガス中の煤塵を除去する排ガス処理方法において、前記集塵装置よりも集塵効率の低い低効率集塵装置を使用して燃焼用空気の予熱後の排ガスから煤塵の一部を除去した後、排ガスを前記集塵装置に導入する排ガス処理方法である。
【００３８】
請求項１０記載の発明は、前記低効率集塵装置により排ガスから煤塵の一部を除去した後、前記集塵装置の入口で排ガス温度を低下させる請求項９記載の排ガス処理方法である。
【００３９】
請求項１１記載の発明は、前記低効率集塵装置により排ガスから煤塵の一部を除去した後、排ガス中の硫黄酸化物を除去する添加剤を供給してから、前記集塵装置の入口で排ガス温度を低下させる請求項１０記載の排ガス処理方法である。
【００４０】
請求項１２記載の発明は、前記集塵装置の入口の排ガス中のＣａＯとＳＯ3とのモル比（ＣａＯ／ＳＯ3）が１以上となるように添加剤を供給する請求項１１記載の排ガス処理方法である。
【００４１】
請求項１３記載の発明は、前記添加剤としてカルシウム化合物を使用する請求項１１又は請求項１２に記載の排ガス処理方法である。
請求項１４記載の発明は、前記燃焼用空気を予熱後の排ガス温度が排ガス中のＳＯ3の酸露点を超えるように前記排ガスと燃焼用空気との熱交換量を調整すると共に、前記集塵装置の入口の排ガス温度を水露点以上、且つ排ガス中のＳＯ3の酸露点以下に低下させる請求項１０から請求項１３のいずれか１項に記載の排ガス処理方法である。
【００４２】
請求項１５記載の発明は、前記低効率集塵装置の出口の排ガス中に含まれる煤塵とＳＯ3との質量比が、１を超えて且つ石炭中の硫黄分と灰分から計算される煤塵とＳＯ3との質量比未満となる集塵効率を有する低効率集塵装置を使用する請求項９から請求項１４のいずれか１項に記載の排ガス処理方法である。
請求項１６記載の発明は、サイクロン機構を有する低効率集塵装置を使用する請求項９から請求項１５のいずれか１項に記載の排ガス処理方法である。
【００４３】
（作用）
請求項１又は請求項９記載の発明によれば、集塵装置の排ガス流路の上流側に集塵装置よりも集塵効率の低い低効率集塵装置を設置することで、灰中のＣａは一部が低効率集塵装置によって除去される。したがって、水銀酸化作用のあるＨＣｌの濃度の低下を防止でき、低効率集塵装置の排ガス流路の後流側の集塵装置で触媒バグフィルタによって水銀が効率よく酸化される。
【００４４】
また、低効率集塵装置によって、それより排ガス流路の後流側の集塵装置に流入する灰の量が減少して、触媒バグフィルタの差圧の上昇速度が遅くなり、排ガス流路に設けたファンの動力を低減できる。また触媒バグフィルタの差圧の上昇速度が遅くなることで、触媒バグフィルタの逆洗頻度が低下するため、触媒バグフィルタの寿命を延長できる。
【００４５】
更に、請求項２又は請求項１０記載の発明によれば、上記請求項１又は請求項９に記載の発明の作用に加えて、低効率集塵装置と集塵装置との間の排ガス流路にガスクーラを設けることによって触媒バグフィルタを任意に低温で運転することができる。ガスクーラの通過時に排ガス温度は下がるため、Ａ／Ｈ出口よりも低温の排ガスが集塵装置に導入される。触媒の活性が高い温度で触媒バグフィルタを使用することにより、水銀の酸化を促進し、水銀除去率を向上させることができる。
【００４６】
灰中のＣａ濃度が低い場合は図４に示すように、触媒バグフィルタ表面における灰による水銀の捕捉率は温度が低いほど高いため、集塵装置の内部を低温にすることで低効率集塵装置における水銀の捕捉率が向上する。
【００４７】
また、燃料に高Ｃａ炭を使用した場合は、図５に示すように排ガスの温度が低いと水銀酸化率が低下する場合があるが、Ｃａを含んだ灰の一部が低効率集塵装置によって除去されるため、水銀酸化作用のあるＨＣｌの濃度の低下を防止できる。したがって、集塵装置で触媒バグフィルタによって水銀が効率よく酸化され、排ガス流路の後流側の湿式脱硫装置に流入する水銀量が減少するため、脱硫吸収液からの水銀の再放出を低減できる。
【００４８】
また、低効率集塵装置からは比較的水銀濃度の低い灰が回収され、集塵装置からは比較的水銀濃度の高い灰が回収される。
一方、ガスクーラで排ガスの温度を低下させた際に、排ガス中の亜硫酸（ＳＯ3）の凝縮によってガスクーラ内の部材、例えば熱媒を内部に有する伝熱管などに灰が付着して閉塞したり、伝熱管が腐食したりする問題も考えられる。この場合は集塵装置に流入する灰の量が減ってしまい、水銀を吸着しきれなくなるおそれが生じる。
【００４９】
しかし、請求項３又は請求項１１記載の発明によれば、上記請求項２又は請求項１０に記載の発明の作用に加えて、ガスクーラに排ガスが導入される前に添加剤によって排ガス中の硫黄酸化物（主にＳＯ3）を除去することで、集塵装置に流入する灰量の低下を防止でき、ひいては水銀捕捉率の低下を防止できる。
【００５０】
そして、ＳＯ3への対応の面からは、ガスクーラで排ガス温度が低下した際、酸露点以下となってＳＯ3がミストとなって凝縮し、ガスクーラ内の伝熱管が腐食しやすくなるため、ＳＯ3が灰中のＣａによって中和される量の灰を残す必要がある。石炭の種類によっては灰中のＣａ濃度が１％以下と極端に低く、ＳＯ3を中和しきれない場合も考えられる。
【００５１】
請求項４又は請求項１２記載の発明によれば、上記請求項３又は請求項１１記載に発明の作用に加えて、排ガス中のＣａＯとＳＯ3とのモル比（ＣａＯ／ＳＯ3）が１以上になるように供給する添加剤の量を調整することで、ガスクーラで排ガス温度が低下して酸露点以下となっても、ＳＯ3が灰中のＣａによって中和される。
【００５２】
また、請求項５又は請求項１３記載の発明によれば、上記請求項３又は請求項４、請求項１１又は請求項１２に記載の発明の作用に加えて、カルシウム化合物（以下、Ｃａ化合物と言う）の添加剤によって排ガス中のＳＯ3を除去することで、ガスクーラ内の伝熱管の腐食を抑制できる。また、Ｃａ化合物はべたつきにくく灰が堆積しにくい。更に、アルカリに比べて安価であり、比較的安全で扱いやすい。
【００５３】
また、燃焼装置の低負荷運転時、起動操作時、停止操作時などの際は排ガスの温度が低くなる傾向がある。ガスクーラの出口の排ガス温度が水露点よりも低くなると、集塵装置において水蒸気の凝結が始まり、さらに温度が下がると水となることから、湿った灰が大量に付着して触媒バグフィルタの閉塞などの問題が起こったり、また、水が液状だとＳＯ2やＳＯ3を吸収して酸性となり、腐食の要因となったりする場合がある。
【００５４】
請求項６又は請求項１４記載の発明によれば、上記請求項２から請求項５のいずれか１項、請求項１０から請求項１３のいずれか１項に記載の発明の作用に加えて、低効率集塵装置の入口の排ガス温度が排ガス中のＳＯ3の酸露点を超えるようにし、ガスクーラの出口の排ガス温度を水露点以上、且つ排ガス中のＳＯ3の酸露点以下に低下させることで、上述の触媒バグフィルタの閉塞や腐食等の問題が生じることなく、集塵装置において確実に排ガス中のＳＯ3を灰と共に高効率で除去できる。
【００５５】
石炭に硫黄（Ｓ）濃度が高い高Ｓ炭を使用した場合は排ガス中のＳＯ3濃度が上昇して酸露点は高くなるが、低Ｓ炭（硫黄（Ｓ）濃度が１％以下の石炭）を使用した場合でも低効率集塵装置の入口の排ガス温度をＳＯ3の酸露点よりも高くすることで、且つ水銀が吸着されにくくなる。一方、ガスクーラの出口の排ガス温度を水露点以上に低下させることで水銀が灰に吸着されやすくなる。
【００５６】
そして、低効率集塵装置では、粗い粒子や比重の大きい粒子が優先的に除去されるため、低効率集塵装置を抜けて集塵装置に流入する灰粒子は細かいものや比重の小さいものが多くなる。このような低効率集塵装置を抜ける粒子は、未燃カーボンの含有率が高い。
【００５７】
未燃カーボン含有率の高い粒子は比表面積が大きいため、水銀を吸着する能力が高いことから、集塵装置内で水銀を効率良く吸着することができる。しかし、灰の粒径が細かいものばかりになると、触媒バグフィルタの目詰まりが生じやすくなる。
【００５８】
また、低効率集塵装置での集塵効率が高すぎる場合は、ガスクーラ内で排ガス温度を低下させた際にＳＯ3の凝縮によって灰の付着閉塞や伝熱管の腐食が問題となったり、集塵装置に流入する灰の量が減りすぎて水銀を吸着しきれなくなるおそれが生じたりする。したがって、低効率集塵装置の集塵効率は、石炭の灰分量（ダスト（煤塵）量）、石炭のＳ（硫黄）分量、灰中のＣａ量、設備（排ガス処理装置の全体構成）などに応じて設定する必要がある。
【００５９】
前述のように、ＳＯ3への対応の面からは、ガスクーラで排ガス温度が低下した際に、ＳＯ3が灰中のＣａによって中和できる量の灰を残す必要がある。ＳＯ3はガス状で、集塵装置を通過するため、集塵効率が高いほど、煤塵だけが減って（煤塵／ＳＯ3）の質量比が小さくなる。
【００６０】
請求項７又は請求項１５記載の発明によれば、上記請求項１から請求項６のいずれか１項、請求項９から請求項１４のいずれか１項に記載の発明の作用に加えて、低効率集塵装置の出口の排ガス中に含まれる煤塵とＳＯ3との質量比が、１を超えて且つ石炭中の硫黄分と灰分から計算される煤塵とＳＯ3との質量比未満となる集塵効率を有する低効率集塵装置を使用することで、排ガス中のＳＯ3が煤塵に含まれる灰中のＣａによって中和できる量の灰を残すことができる。
【００６１】
したがって、低効率集塵装置で灰の一部を除去しても、ガスクーラ内における伝熱管の閉塞や腐食等を防止しつつ、触媒バグフィルタでの水銀の酸化率や水銀の捕捉率を向上させることができる。
【００６２】
請求項８又は請求項１６記載の発明によれば、上記請求項１から請求項７のいずれか１項、請求項９から請求項１５のいずれか１項に記載の発明の作用に加えて、サイクロン機構によって煤塵を分離することで、簡易な機構で遠心力により粗い粒子と細かい粒子、比重の大きい粒子と比重の小さい粒子に分離できる。また、サイクロン機構は構造がシンプルで可動部が少ないため、トラブルも少なく、コストも低く、メンテナンス性にも優れる。したがって、低効率集塵装置に電気集塵機やバグフィルタを、集塵効率を下げて使用するまでもない。
【発明の効果】
【００６３】
本発明によれば、排ガス処理装置から大気中に排出される水銀の量を低減できる。また、排ガス処理装置の排ガス流路に設けたファンの動力の低減や集塵装置の触媒バグフィルタの交換頻度の低減も可能となるため、コストも抑制される。
【００６４】
また、排ガス中の水銀除去率を向上させるために塩化水素や活性炭等を使用する必要もないため、また使用する場合でも使用量を低減できるため、排ガス処理装置のランニングコストを抑えることができる。
【００６５】
具体的に、請求項１又は請求項９記載の発明によれば、排ガス中のＨＣｌ濃度の低下要因となるＣａの一部が低効率集塵装置によって除去され、また低温の排ガスが集塵装置に導入されるため、集塵装置の触媒バグフィルタにより水銀が効率よく酸化、捕捉される。特に、燃料に高Ｃａ炭を使用した場合は効果が高い。
【００６６】
更に、低効率集塵装置の排ガス流路の後流側の集塵装置に流入する灰の量が減少して、触媒バグフィルタの差圧の上昇速度が遅くなるため、排ガス流路に設けたファンの動力を低減できる。また触媒バグフィルタの差圧の上昇速度が遅くなることで、触媒バグフィルタの逆洗頻度が低下するため、触媒バグフィルタの寿命を延長できる。
【００６７】
また、請求項２又は請求項１０記載の発明によれば、上記請求項１又は請求項９に記載の発明の効果に加えて、ガスクーラによって触媒バグフィルタを確実に低温で運転することができるため、低効率集塵装置における水銀の捕捉率が向上する。したがって、排ガス流路の後流側の湿式脱硫装置に流入する水銀の量が減少し、脱硫吸収液からの水銀の再放出を低減できる。
【００６８】
なお、燃料に高Ｃａ炭を使用した場合、排ガスの温度が低いと水銀酸化率が低下することもあるが、灰中のＣａは一部が低効率集塵装置によって除去されるため、水銀酸化率の低下を防止できる。
【００６９】
請求項３又は請求項１１記載の発明によれば、上記請求項２又は請求項１０に記載の発明の効果に加えて、添加剤によって排ガス中のＳＯ3を除去することで、ガスクーラ内の部材に灰が付着したり、腐食したりすることを防止できる。また、集塵装置に流入する灰量の低下を防ぎ、水銀捕捉率の低下を防止できる。
【００７０】
請求項４又は請求項１２記載の発明によれば、上記請求項３又は請求項１１に記載の発明の効果に加えて、排ガス中のＣａＯとＳＯ3とのモル比（ＣａＯ／ＳＯ3）が１以上となるように添加剤の量を調整することで、Ｃａ濃度の低い石炭を用いた場合に、ガスクーラで排ガス温度が低下して酸露点以下となってもＳＯ3が灰中のＣａによって中和される。したがって、ガスクーラ内の部材に灰が付着したり、腐食したりすることを確実に防止できる。
【００７１】
請求項５又は請求項１３記載の発明によれば、上記請求項３又は請求項４、請求項１１又は請求項１２に記載の発明の効果に加えて、Ｃａ化合物の添加剤によって排ガス中のＳＯ3を除去することで、アルカリに比べて安全性が高く、安価で行え、排水処理も簡易にできる。
【００７２】
また、請求項６又は請求項１４記載の発明によれば、上記請求項２から請求項５のいずれか１項、請求項１０から請求項１３のいずれか１項に記載の発明の効果に加えて、低効率集塵装置の入口の排ガス温度やガスクーラの出口の排ガス温度を適正な温度範囲となるように低下させることで、排ガスの温度が低くなりやすい運転状態の時でも、集塵装置において排ガス中のＳＯ3を灰と共に高効率で除去できる。特に、石炭に低Ｓ炭を使用した場合でも低効率集塵装置の入口の排ガス温度がＳＯ3の酸露点よりも高くなり、且つ水銀が吸着されにくくなる一方、ガスクーラの出口の排ガス温度が水露点以上、且つＳＯ3の酸露点以下に低下することで集塵装置において水銀が灰に吸着されやすくなる。
【００７３】
請求項７又は請求項１５記載の発明によれば、上記請求項１から請求項６のいずれか１項、請求項９から請求項１４のいずれか１項に記載の発明の効果に加えて、排ガス中のＳＯ3を煤塵に含まれる灰中のＣａによって中和できる量の灰を残すように、低効率集塵装置の集塵効率を設定することで、ガスクーラ内における伝熱管の閉塞や腐食等を防止しつつ、触媒バグフィルタでの水銀の酸化率や水銀の捕捉率を向上させることができる。
【００７４】
請求項８又は請求項１６記載の発明によれば、上記請求項１から請求項７のいずれか１項、請求項９から請求項１５のいずれか１項に記載の発明の効果に加えて、簡易な機構で遠心力により粗い粒子と細かい粒子、比重の大きい粒子と比重の小さい粒子に任意の効率で分離できる。また、設置スペースや設備にかかるコストもあまり掛からなくて済む。  
【００７５】
更に、サイクロン機構はトラブルも少なく、コストも低く、メンテナンス性にも優れる。
【図面の簡単な説明】
【００７６】
【図１】本発明の実施例の排ガス処理装置の全体構成図である。
【図２】触媒の水銀酸化率に対するガス中のＨＣｌ濃度の影響を示したグラフである。
【図３】触媒の水銀酸化率に対する排ガス温度の影響を示したグラフである。
【図４】触媒バグフィルタにおける水銀の酸化率及び水銀捕捉率に対する温度の影響を示したグラフである。
【図５】石炭灰中のＣａ濃度が高い場合の触媒バグフィルタにおける水銀の酸化率及び水銀捕捉率に対する温度の影響を示したグラフである。
【図６】従来の排ガス処理装置の全体構成図である。
【発明を実施するための形態】
【００７７】
以下に、本発明の実施例について説明する。
【実施例１】
【００７８】
図１には、本発明の実施例の排ガス処理装置の全体構成図を示す。
この排ガス処理装置は主にボイラ２０の排ガスダクトの上流側から下流側にかけて、ボイラ２０から発生する排ガス中の窒素酸化物を処理するための脱硝装置３、脱硝装置３の出口排ガスの温度を下げるための空気予熱器（Ａ／Ｈ）４、Ａ／Ｈ４から排出される排ガス中の灰（フライアッシュ）を源とした煤塵等を除去するための集塵装置（バグハウス）５、バグハウス５の出口排ガス中の硫黄酸化物を処理するための湿式脱硫装置６、湿式脱硫装置６の出口排ガスを大気中に排出する煙突７等が順次配置されている点で、図６の排ガス処理装置と共通している。
【００７９】
ボイラ２０の火炉１で微粉炭の燃焼により発生した高温の排ガスは、後部伝熱部２によって４００℃程度に冷却された後、脱硝装置３で脱硝触媒により窒素酸化物（ＮＯｘ）が分解されて無害なＮ2に変化する。その後、Ａ／Ｈ４で温度がさらに１６０〜２００℃程度になるように冷却された後、低効率の集塵装置であるサイクロン２１によって、灰を含む煤塵等の一部が除去される。サイクロン２１を通過した煤塵はサイクロン２１よりも高効率の集塵装置であるバグハウス５で除去され、灰が除去された排ガスは湿式脱硫装置６に導入され、排ガス中の硫黄酸化物（ＳＯ2）が除去された後、煙突７から排出される。
【００８０】
本実施例では、低効率の集塵装置としてサイクロン２１を適用しているが、遠心力集塵装置であるサイクロン２１の他に、粒子の捕集機構によって重力集塵装置、電気集塵装置などがある。
【００８１】
サイクロン２１は、空気に含まれるダストを、強力な旋回気流で分離する集塵装置である。低効率集塵装置としてサイクロン２１を用いることで、簡易な機構で遠心力により粗い粒子と細かい粒子、比重の大きい粒子と比重の小さい粒子に分離できるため、好適である。サイクロン２１の底部に溜まった灰は、抜き出しライン２２からサイクロン回収灰２３として適宜抜き出される。
【００８２】
また、本実施例では、サイクロン２１とバグハウス５との間の排ガス流路にガスクーラ２４を設けている。ガスクーラ２４によって任意に排ガス温度を下げることで、触媒バグフィルタ８を確実に低温で運転することができる
具体的には、サイクロン２１により灰の濃度が低下した排ガスはガスクーラ２４に導入されて、排ガス温度が９０〜１２０℃程度に調整された後、触媒バグフィルタ８を内部に装備したバグハウス５に導入される。ガスクーラ２４では、内部に熱媒を有する伝熱管２４ａによって排ガスの熱を回収している。このとき、排ガス温度を９０〜１２０℃よりも低下させようとすると、ガスクーラ２４の伝熱管２４ａの表面温度を、水露点を下回るほど下げなければならない。そうすると、伝熱管２４ａの表面に水が凝縮して灰が付着しやすくなる。更にその水に排ガス中のＳＯ2やＳＯ3 が溶解して酸性液となり、腐食に繋がってしまう。
【００８３】
このため、ガスクーラ２４による排ガス温度の調整は９０℃程度が下限となる。石炭焚きボイラ排ガスの水分濃度１０〜２０％において、水露点は、通常約４５〜６０℃である。
【００８４】
制御装置３０により伝熱管２４ａを流れる熱媒量を調整することで、排ガス温度を調整できる。また、図示しないが熱媒を冷却する手段を設け、熱媒の冷却量を調整することで、排ガス温度を調整することもできる。
【００８５】
そして、触媒バグフィルタ８を９０〜１２０℃程度の低い温度範囲で使用することにより、図３に示すように水銀の酸化が促進され、且つ酸化水銀が触媒バグフィルタ８に堆積した灰に補足されることによって効率よく除去される。
【００８６】
バグハウス５から排出された除塵後の排ガスは湿式脱硫装置６に導入されて、硫黄酸化物（ＳＯ2）が除去されるが、これと同時に排ガス中に残存している少量の酸化水銀が脱硫吸収液に溶解して除去される。
【００８７】
本実施例では、バグハウス５よりも排ガス流路の上流側に設けたサイクロン２１によって灰の一部を除去することにより、従来技術と比較してバグハウス５に流入する灰の量が減少する。したがって、触媒バグフィルタ８の差圧が低い状態で装置の運転ができるため、排ガス流路に設けたファン（図示せず）の動力を低減できる。また、触媒バグフィルタ８の差圧の上昇速度が遅くなることで触媒バグフィルタ８の逆洗頻度も低下するため、触媒バグフィルタ８の寿命を延長できる。
【００８８】
また、サイクロン２１では、遠心力により粗い粒子と比重の大きい粒子が優先的に除去されるため、サイクロン２１を通り抜けてバグハウス５に流入する灰粒子は細かいものや比重の小さいものが多くなる。
【００８９】
このようなサイクロン２１を通り抜ける粒子は、未燃カーボンの含有率が高い。未燃カーボンの含有率が高い粒子は比表面積が大きいため、水銀を吸着する能力が高いことから、バグハウス５内で効率良く水銀を吸着することができる。
【００９０】
しかし、灰の粒径が細かいものばかりになると、触媒バグフィルタ８の目詰まりが生じやすくなる。また、サイクロン２１での集塵効率が高すぎる場合は、ガスクーラ２４内で排ガス温度を低下させた際にＳＯ3の凝縮によって灰の付着閉塞や伝熱管２４ａの腐食が問題となり、バグハウス５に流入する灰の量が減りすぎて水銀を吸着しきれなくなるおそれがある。したがって、低効率集塵装置としてのサイクロン２１の集塵効率は、石炭の灰分量（ダスト（煤塵）量）、石炭のＳ（硫黄）分量、灰中のＣａ量、設備などに応じて設定する必要がある。
【００９１】
前述のように、ＳＯ3への対応の面からは、ガスクーラ２４で排ガス温度が低下した際に、ＳＯ3が灰中のＣａによって中和できる量の灰を残す必要がある。したがって、サイクロン２１の出口の排ガス中に含まれる煤塵とＳＯ3との質量比が、１を超えて且つ石炭中の硫黄分と灰分から計算される煤塵とＳＯ3との質量比未満となるように、サイクロン２１の集塵効率を設定する。石炭中の硫黄分と灰分から計算される煤塵量とＳＯ3量は石炭の燃焼により発生する最大の煤塵量とＳＯ3量に相当する。
【００９２】
例えば、サイクロン２１の出口において排ガス中に含まれる煤塵（灰）とＳＯ3との質量比（煤塵／ＳＯ3質量比）が５以上となるように、サイクロン２１の集塵効率を設定すると良い。なお、他の集塵装置を使用した場合でも、その仕様を変更することで対応できる。
【００９３】
具体的には、サイクロンの出口管径を小さくし、ガス流速を大きくするほど集塵効率が向上する。必要に応じて、小口径のサイクロンを多数並列に設置するマルチサイクロンを適用しても良い。なお、他の集塵装置を使用した場合でも、その仕様を変更することで対応できる。
【００９４】
なお、ＳＯ3はガス状で、集塵装置を通過するため、集塵効率が高いほど、煤塵だけが減って（煤塵／ＳＯ3）の質量比が小さくなる。したがって、この比が５以上となるように除去する煤塵量（集塵効率）を調節する。石炭の種類によって発生する煤塵量とＳＯ3の濃度は異なるため、一般的なダストの集塵効率ではなく、中和可能な煤塵とＳＯ3との質量比を指標とするものである。
【００９５】
例えば、石炭中のＳ量が３〜４％と高く、排ガス中ＳＯ3濃度が５０〜８０ｐｐｍと高くなるような石炭であっても、通常はダストとＳＯ3質量比は１５以上となる。これは、石炭の分析値（灰分、Ｓ分）から算出される。
【００９６】
したがって、サイクロン２１の集塵効率をサイクロン２１の出口の排ガス中に含まれる煤塵とＳＯ3との質量比が５以上となるように設定することで、サイクロン２１の集塵効率がバグハウス５の集塵効率の１／３〜２／３程度になり、サイクロン２１で１／３以上の灰を除去しても、ガスクーラ２４内における伝熱管２４ａの閉塞や腐食等を防止しつつ、触媒バグフィルタ８での水銀の酸化率や水銀の捕捉率を向上させることができる。
【００９７】
そして、排ガス中にこの程度（１／３以上２／３未満）の煤塵の量が残っていれば、水銀量に対しては大過剰であるため、サイクロン２１で灰を除去しても水銀の除去性能が低下することはない。また、この煤塵中には比較的粗い灰粒子も残存するため、触媒バグフィルタ８の目詰まりが顕著に発生することもない。
【００９８】
なお、日本のように輸入石炭を使用する発電所において１つのボイラで多種の石炭を燃焼する場合でも、ボイラの仕様に応じて燃焼される炭種の変動範囲であれば、炭種ごとにサイクロン２１の仕様を変更する必要はない。なお、炭種によってＳＯ3の発生量は異なるが、その変動範囲は問題にならないレベルである。
【００９９】
また、石炭の産地の近隣に設置された発電所では燃焼される炭種は一定であるため（基本的に１種類）、サイクロン２１の仕様は一定である。
一方、石炭の種類によっては灰中のＣａ濃度が１％以下と極端に低く、ＳＯ3を中和しきれない場合も考えられる。実際に、排ガス中のＣａＯ／ＳＯ3のモル比が１を下回る場合はＳＯ3を中和しきれない。
【０１００】
この場合の対策としては、ガスクーラ２４の入口でＳＯ3を除去する添加剤供給装置２６の供給ライン２５から、排ガス中のＣａＯとＳＯ3とのモル比が１以上となるよう添加剤を供給する。この値は、通常石炭の分析値（灰分、Ｓ分）から算出するが、ＳＯ3濃度はＳＯ3濃度測定器３４（図１）を設置して、測定しても良い。
【０１０１】
そして、先の制御装置３０によってガスクーラ２４入口の排ガス中のＣａＯとＳＯ3とのモル比（ＣａＯ／ＳＯ3）が１以上となるように供給ライン２５から添加剤が供給される。添加剤の量は、供給ライン２５の電磁弁２５ａを制御したり、添加剤濃度変更機構（図示せず）を設けてこれを制御したりすることで調整される。
【０１０２】
本実施例では、伝熱管２４ａを流れる熱媒量を調整する制御装置３０によって添加剤の量を調整する場合を示しているが、それぞれの制御毎に個別に制御装置を設けても良い。本実施例のように複数の機能を有する制御装置３０を設けると、簡素な構成となって好ましい。
【０１０３】
また、添加剤としては、Ｃａ化合物であるＣａＣＯ3、Ｃａ(ＯＨ)2といった中和剤を使用すると良い。
ＳＯ3が灰中のＣａによって中和されるため、ガスクーラ２４で排ガス温度が低下して、酸露点以下となっても伝熱管２４ａの腐食を防止できる。中和剤としては、Ｃａ化合物の他に、炭酸ナトリウム（Ｎａ2ＣＯ3）、炭酸水素ナトリウム（ＮａＨＣＯ3）、炭酸カリウム（Ｋ2ＣＯ3）、炭酸水素カリウム（ＫＨＣＯ3）などが用いられるが、安価で取り扱いが容易との理由からＣａ化合物が好適である。また、Ｃａ化合物はべたつきにくく灰が堆積しにくい。
【０１０４】
なお、石炭にＳＯ3を除去する添加剤を混合して燃焼させる方法もあるが、Ｃａの増加は石炭灰の融点を低下させることになるため、火炉１のスラッギングの面から注意が必要である。なお、スラッギングとは、燃焼により溶融した灰が炉壁や伝熱管に付着して収熱の低下、及び炉内の圧力損失を大きくする現象が生じることを言う。
【０１０５】
ボイラ１が低負荷運転を行っている場合や、起動操作及び停止操作の際は、排ガス量が少ないため、サイクロン２１での集塵効率が低下する。しかし、それと同時に排ガス中の灰量自体も減少するため、集塵効率が低下してもバグハウス５に流入する灰量が大幅に増加することはない。
【０１０６】
したがって、触媒バグフィルタ８の差圧は低い状態に維持されることで、排ガス流路に設けたファンの動力を低減できると共に、触媒バグフィルタ８の寿命を延長できるという長所は維持される。また、排ガス量が減少してバグハウス５における排ガスの滞留時間が長くなることは、触媒バグフィルタ８による水銀の酸化や灰による水銀の捕捉を促進する方向に働く。
【０１０７】
一方、このような起動操作及び停止操作などの際は排ガスの温度も低くなる傾向がある。サイクロン２１入口の排ガス温度は１２０℃よりも高く、バグハウス５に導入される排ガス温度は水露点以上、且つ１２０℃以下に調整されることが好ましい。サイクロン２１入口の排ガス温度とガスクーラ２４出口の排ガス温度はサイクロン２１入口やガスクーラ２４出口にそれぞれ設けた温度計３６により測定され、その電気信号が制御装置３０に入力される。Ａ／Ｈ４では、ボイラから排出する排ガスと空気との熱交換により火炉１に供給する燃焼用空気を予熱しており、排ガス量が減少すると、この熱交換量も減少するため、ボイラ排ガスの温度が低下していても、サイクロン２１入口の排ガス温度を１２０℃以上に維持できる。そして、ボイラ２０の負荷を下げるときに燃焼用空気量を減らす運転を行うので、熱交換量が変わり排ガス温度も調整される。
【０１０８】
石炭に硫黄（Ｓ）濃度が高い高Ｓ炭を使用した場合は排ガス中のＳＯ3濃度が上昇して酸露点は高くなるが（１６０℃程度）、低Ｓ炭を使用した場合でもサイクロン２１の入口の排ガス温度を１２０℃以上とすることでＳＯ3の酸露点以上、酸露点を超える温度となり、且つ水銀が吸着されにくくなる。一方、ガスクーラ２４の出口の排ガス温度を水露点以上まで低下させることで水銀が灰に吸着されやすくなる。
【０１０９】
サイクロン２１入口の排ガス温度が低いと、すでに一部酸化していた水銀がサイクロン回収灰２３に付着することになる。一方、このような排ガス温度の低い場合はガスクーラ２４の冷却能力を抑制するが、ガスクーラ２４の伝熱管表面の温度が低下しすぎて水露点を下回らないようにガスクーラ２４の出口温度を制御装置３０によって制御すると良い。前述したが、伝熱管２４ａを流れる熱媒量を調整したり、熱媒の冷却量を調整したりすることで、ガスクーラ２４の出口温度を調整できる。
【０１１０】
排ガスの温度が水露点を下回ると水分が凝縮して、さらに温度が下がると水となって、排ガス中のＳＯ3やＳＯ2を吸収して酸性の液となり、灰の固着、腐食を発生させるが、このような不具合を防止できる。
【０１１１】
なお、上述した各構成、すなわちサイクロン２１の集塵効率をサイクロン２１出口の排ガス中に含まれる煤塵とＳＯ3との質量比により設定すること、ＳＯ3を除去する添加剤をＣａＯとＳＯ3とのモル比が１以上となるように供給すること、サイクロン２１入口の排ガス温度やガスクーラ２４の出口の排ガス温度を調整することなどは、それぞれ個別に実施しても良いし、複数実施しても良い。使用する石炭の種類（石炭の灰分量、石炭のＳ分量、灰中のＣａ量など）や設備の関係など、その時の状況に応じて、適宜必要な構成を採用すれば良い。
【０１１２】
このように、本実施例によれば、触媒バグフィルタ８により煤塵等の粒子状物質を高効率で除去しつつ、担持された触媒の水銀酸化性能及び水銀捕捉性能を無駄なく発揮させることができる。したがって、バグハウス５の排ガス流路の後流側の湿式脱硫装置６へ流入する水銀量が減少し、脱硫吸収液からの水銀の再放出も抑制できることから、排ガス処理装置のシステム全体としての粒子状物質及び水銀の排出量を低減できる。
【０１１３】
なお、ガスクーラ２４を熱交換式とすることにより、排ガス温度を下げる際に回収した熱を排ガス処理装置のプラント内で活用することも可能である。さらに、水銀の酸化を促進するための塩素化合物の添加や、水銀の除去率を向上させるための活性炭等の添加剤の使用も不要であるため、排ガス処理装置全体としてランニングコストを低く抑えることができる。
【０１１４】
また、石炭灰中のＣａ濃度が高い場合に、触媒バグフィルタ８による水銀の捕捉率を上げようとしてバグハウス５の運転温度を下げると、ＨＣｌの一部が灰中のＣａによって除去されて触媒に到達するＨＣｌが極端に減少し、水銀の酸化率及び水銀の捕捉率が逆に低下することもある。
【０１１５】
これに対して本実施例によれば、バグハウス５に流入する灰の量、すなわちＣａ量が減少することにより、灰中のＣａによるＨＣｌの除去が抑制されて、触媒バグフィルタ８で水銀を効率良く酸化させるのに必要な量のＨＣｌが排ガス中に残存する。したがって、高Ｃａ炭を使用した場合でも、触媒バグフィルタ８を低温で運転することにより水銀除去率を高く維持することができる。
【０１１６】
さらに、サイクロン２１は運転温度が１６０℃以上と高いことから、サイクロン回収灰２３には水銀がほとんど付着していない。一方、バグハウス５は運転温度が９０〜１２０℃と低いため、回収灰１３中の水銀濃度は比較的高くなる。このように、水銀濃度の高い灰と水銀濃度の低い灰を別々に回収できることから、廃棄処分や有効利用の際に有利である。また、バグハウス５の運転温度を低くすることで、触媒バグフィルタ８のろ布材として耐熱温度の低いものが使用でき、コストも低減できる。
【産業上の利用可能性】
【０１１７】
本発明によれば、ボイラに限らず、他の燃焼装置を使用する排ガス処理装置においても、排ガス中の水銀を効率よく除去できる技術として、利用可能性がある。
【符号の説明】
【０１１８】
１  火炉                ２  後部伝熱部
３  脱硝装置            ４  空気予熱器
５  集塵装置（バグハウス）
６  湿式脱硫装置        ７  煙突
８  バグフィルタ（触媒バグフィルタ）
９  排ガスライン        １０  圧縮空気供給ライン
１１  電磁弁            １２  灰抜き出しライン
１３  バグフィルタ回収灰
２０  ボイラ            ２１  低効率集塵装置（サイクロン）
２２  灰抜き出しライン  ２３  サイクロン回収灰
２４  ガスクーラ        ２５  添加剤供給ライン
２６  添加剤供給装置    ３０  制御装置
３４  ＳＯ3濃度測定器
３６  温度計
【図１】
2014091058.tif 000003
【図２】
2014091058.tif 000004
【図３】
2014091058.tif 000005
【図４】
2014091058.tif 000006
【図５】
2014091058.tif 000007
【図６】
2014091058.tif 000008